(57)【要約】【課題】  鉢などへ水や液体肥料遣りが上下や左右にあってもでき、また少ない労力で出来る装置を提供する。【解決手段】  手動ポンプ６を操作すると容器１内の液体２は吸い上げられて注出ノズル１１に流れ、連結チューブ１７を通って給液ホース９から流出し、上下や左右に鉢などへ給液作業を行うことが出来る。  また容器１内の液面３の高さと比べて給液ホース９の液吐出口ａ２０の方が低い位置にあれば、サイホンの作用により手動ポンプ６の操作をやめても自然と容器１内の液体２は給液ホース９の液吐出口ａ２０より流出するので下方の鉢などへ少ない労力で給液作業ができる。【選択図】図１
0003129748.tif 000002
【実用新案登録請求の範囲】
【請求項１】
手動ポンプを容器に装着し、該手動ポンプの操作により前記容器内の液体を吸い上げて吐出する前記手動ポンプの注出ノズルにつないだ液体通路を設け、また該液体通路とは別に、一方を前記容器内の液体を吸い上げる吸い込み口とし他方は逆止弁を備えた液体通路とし、前記二つの液体通路が合流して一本の液体通路にし、該液体通路に吐出口を設けたことを特徴とする手動ポンプ付液体供給装置
【考案の詳細な説明】
【技術分野】
【０００１】  本考案は、手動ポンプを用いて容器内の液体を流出させる装置に関する。
【背景技術】
【０００２】  鉢などへの水や液体肥料遣りはジョウロなどに入れて行っていた。
【考案の開示】
【考案が解決しようとする課題】
【０００３】  ジョウロによる鉢などへの水や液体肥料遣りは鉢に近付かなければ作業が出来ないので、たとえ鉢が上下や左右にあっても水や液体肥料遣りができ、また労力の少ない作業で出来るようにする。
【課題を解決するための手段】
【０００４】  本考案は手動ポンプを容器に装着し、該手動ポンプの操作により前記容器内の液体を吸い上げて吐出する前記手動ポンプの注出ノズルにつないだ液体通路を設け、また該液体通路とは別に、一方を前記容器内の液体を吸い上げる吸い込み口とし他方は逆止弁を備えた液体通路とし、前記二つの液体通路が合流して一本の液体通路にし、該液体通路に吐出口を設け液体を流出させ鉢などへ給液できる。
【考案の効果】
【０００５】  手動ポンプを操作することで容器内の液体が吸い上げられて吐出口より流出することにより吸い上げ口から吐出口までの液体の通路が液体により満たされると、容器の液面の高さと比べて吐出口の方が低ければサイホンの作用により、手動ポンプの操作をやめても自然と容器内の液体が吐出口から流出されるので下方にある鉢などへ少ない労力で給液作業が出来るし、また手動ポンプを操作すれば容器の液面の高さとは関係なく容器の液体を吐出することが出来るので上方の鉢などへも水遣りや液体肥料の注液作業が出来る。またこの考案によるサイホンの作用により水槽などの排水用具としても応用できる。【０００６】  水や液体肥料遣りをする人が鉢に近付けない場所や、また鉢が高い位置や低い位置に在るときに、延長管を取り付けて、該延長管にある吐出口から液体を吐出させる事が出来るようにしている。また手元で給液をする場合は延長管を取り外して、液吐出口から液体を流出させて鉢に給液作業ができるようにしている。
【考案を実施するための最良の形態】
【０００７】  以下、添付図面  図１及び図２より一実施例を説明する。
手動ポンプ６を操作すると容器１内の液体２は吸い上げパイプａ８から吸い上げられて注出ノズル１１に流れ、更に注出ノズル１１から連結チューブ１７を通って合流点１９を通過して給液ホース９に流れ、該給液ホース９の液吐出口ａ２０に至り流出され、また液吐出口ａ２０（延長管接続口付き）に延長管１８を組み付ければ、該延長管１８の液吐出口ｂ２１より吐出されるので上下や左右、また近付きにくい鉢などへ給液作業を行うことが出来る。
また手動ポンプ６を操作することで容器１内の液体２が液体通路▲１▼１２を通って合流点１９を通過する際に、該液体２の流れの一部は合流点１９にて合流している吸い上げパイプｂ１４へ流れ込むが逆止弁１５を有しているため、流れ込んだ該液体２は容器内へ流出する事なく吸い上げパイプｂ１４内に留まるため液体通路▲２▼１６は該液体２により満たされる。これにより容器１内の液面３の高さと比べて給液ホース９の液吐出口ａ２０の方が低い位置にあれば、サイホンの作用により手動ポンプ６の操作をやめても自然と容器１内の液体２は液体通路▲２▼１６を経て給液ホース９の液吐出口ａ２０より流出するので労力の少ない作業で下方にある鉢などへ供給し給液作業ができる。
また給液ホース９の液吐出口ａ２０（延長管接続口付き）に延長管１８が組み付けられていれば、容器１の液面３の高さと比べて該延長管１８にある液吐口ｂ２１の位置の方が低ければ，サイホンの作用により容器１内の液体２は手動ポンプ６の操作をやめても液吐出口ｂ２１より流出するので下方の位置へ労力の少ない作業で給液作業ができる。
また手動ポンプ６を操作させれば、容器１の液面３の高さと吐出口の位置には関係無く容器１内の液体２が液吐出口ａ２０或いは液吐出口ｂ２１より吐出するので、給液ホース９に延長管１８を取り付いている場合は人が近付けない場所や、また高い位置の鉢への給液を行う時に適しているし、また延長管１８を取り外した状態での給液ホース９の液吐出口ａ２０からの流出は手元で行う給液作業に適している。
液体２の流量を調整する弁（図示せず）を液体通路に組み付けると鉢などに行う給液量をコントロールする事が出来る。【０００８】  以下、添付図面  図３に従って一実施例を説明する。
手動ポンプ６を架台２２に設けられた手動ポンプ取付座５に、また吸い上げパイプ取付座１３に吸い上げパイプｂ１４をそれぞれ組み込み、前記架台２２を排液する水槽２３に置き、手動ポンプ６を操作すると水槽２３内の液体２は吸い上げパイプａ８から吸い上げられて、注出ノズル１１に流れ、更に注出ノズル１１から連結チューブ１７を通って合流点１９を通過して給液ホース９に流れ、該給液ホース９の液吐出口ａ２０に至り流出される。また手動ポンプ６を操作することで水槽２３内の液体２が液体通路▲１▼１２を通って合流点１９を通過する際に、該液体２の流れの一部は合流点１９にて合流している吸い上げパイプｂ１４内へ流れ込むが逆止弁１５を有しているため、流れ込んだ液体２は水槽２３内へ流出する事なく吸い上げパイプｂ１４に留まるため該液体２により液体通路▲２▼１６は満たされる。これにより水槽２３内の液面３の高さと比べて給液ホース９の液吐出口ａ２０の方が低い位置にあれば、サイホンの作用により手動ポンプ６の操作をやめても自然と水槽２３内の液体２は液体通路▲２▼１６を経て給液ホース９の液吐出口ａ２０より流出するので水槽の排液作業ができる。
また手動ポンプ６を操作させれば、水槽２３の液面３の高さと吐出口の位置には関係なく水槽２３内の液体２が液吐出口ａ２０から吐出されるので排液作業ができる。
【図面の簡単な説明】
【０００９】
【図１】  本考案の一実施例を示す装置の要部を破断した手動ポンプ付液体供給装置側面図。
【図２】  延長管を取り外した状態の手動ポンプ付液体供給装置の側面図。
【図３】  本考案を応用して水槽などの排液用とした一実施例の要部を破断した手動ポンプ付液体供給装置側面図。
【符号の説明】
【００１０】  １  容器
２  液体
３  液面
４  給液口（通気口付き）
５  手動ポンプ取付座
６  手動ポンプ
７  携帯用具
８  吸い上げパイプａ
９  給液ホース
１０  シリンダ
１１  注出ノズル
１２  液体通路▲１▼
１３  吸い上げパイプ取付座
１４  吸い上げパイプｂ
１５  逆止弁
１６  液体通路▲２▼
１７  連結チューブ
１８  延長管
１９  合流点
２０  液吐出口ａ（延長管接続口付き）
２１  液吐出口ｂ
２２  架台
２３  水槽
【図１】
0003129748.tif 000003
【図２】
0003129748.tif 000004
【図３】
0003129748.tif 000005
【手続補正書】
【提出日】平成18年10月18日(2006.10.18)
【手続補正１】
【補正対象書類名】実用新案登録請求の範囲
【補正対象項目名】全文
【補正方法】変更
【補正の内容】
【実用新案登録請求の範囲】
【請求項１】
手動ポンプを容器に装着し、該手動ポンプの操作により前記容器内の液体を吸い上げて吐出する前記手動ポンプの注出ノズルにつないだ液体通路を設け、また逆止弁を有し前記容器内の液体を吸い上げる液体通路を設け、前記二つの液体通路が合流して一本の液体通路にし、該液体通路に吐出口を設けたことを特徴とする手動ポンプ付液体供給装置
【手続補正２】
【補正対象書類名】明細書
【補正対象項目名】０００４
【補正方法】変更
【補正の内容】
【０００４】  手動ポンプを容器に装着し、該手動ポンプの操作により前記容器内の液体を吸い上げて吐出する前記手動ポンプの注出ノズルにつないだ液体通路を設け、また逆止弁を有し前記容器内の液体を吸い上げる液体通路を設け、前記二つの液体通路が合流して一本の液体通路にし、該液体通路に吐出口を設け液体を流出させ鉢などへ給液できる。